(57)【特許請求の範囲】
【請求項１】
所定の読取指示に基づき、原稿の画像を光学的に１頁毎に読み取って電子的な画像データを取得する原稿読取部と、
１頁毎の前記画像データに対する加工項目を選択する項目選択画面と、読み取った１頁毎の前記画像データと、選択された前記加工項目とを表示する表示部と、
この表示部に表示された前記項目選択画面における前記加工項目の選択入力と、選択された前記加工項目であって前記表示部に表示された前記画像データについて表示された前記加工項目に対し外部から当該内容を設定する設定入力とを受け付ける入力部と、
読み取った前記画像データを１頁毎に前記設定入力によって設定された設定内容で画像加工する画像加工部と、
前記項目選択画面を前記表示部に表示制御するとともに前記入力部における前記加工項目の選択入力の受け付けを制御し、前記読取指示を出力して１頁毎に原稿の画像を読取るよう前記原稿読取部を制御し、読み取った１頁毎の前記画像データと選択された前記加工項目とを表示するよう前記表示部を制御する読取制御部と、
を具備することを特徴とする画像読取制御装置。
【請求項２】
前記読取制御部は、１頁分の前記原稿の画像を読み取るよう前記読取指示を前記原稿読取部に出力し、前記設定入力が確定された以降、次頁を読み取るよう前記読取指示を前記原稿読取部に出力して読取制御をする請求項１記載の画像読取制御装置。
【請求項３】
前記読取制御部は、前記読取指示を出力して前記原稿の画像を一度に読取るよう前記原稿読取部を制御し、前記設定入力が確定された以降、次頁の個々の頁毎に前記画像データおよび選択された前記加工項目を順次表示するよう前記表示部を制御する請求項１記載の画像読取制御装置。
【請求項４】
前記請求項１〜３いずれか１項記載の画像読取制御装置を具備し、読み取った前記画像データを画像形成する画像形成部を有することを特徴とする画像形成装置。
【請求項５】
１頁毎の画像データに対する加工項目を事前に選択する選択処理と、
原稿の画像を光学的に１頁毎に読み取って電子的な前記画像データを取得する原稿読取処理と、
読み取った前記画像データを１頁毎に表示するとともに、前記選択処理で選択された前記加工項目を表示する表示処理と、
この表示処理によって表示された１頁毎の前記画像データについて、表示された前記加工項目に対し外部から当該内容を設定する設定入力を受け付ける入力処理と、
読み取った前記画像データを１頁毎に前記設定処理で設定された設定内容で画像加工処理する加工処理と、
を具備することを特徴とする画像読取方法。
【請求項６】
前記原稿読取処理は、１頁分の前記原稿の画像を読み取り、前記設定入力が確定された以降、次頁を読み取る請求項５記載の画像読取方法。
【請求項７】
前記原稿読取処理は前記原稿の画像を一度に全頁読取り、前記表示処理は前記設定入力が確定された以降、次頁の個々の頁毎に前記画像データおよび選択された前記加工項目を表示する請求項５記載の画像読取方法。
【発明の詳細な説明】
【技術分野】
【０００１】
本発明は画像読取制御装置、画像形成装置および画像読取方法に係り、頁毎の読み取り画像データの加工処理が可能な画像読取制御装置、これを搭載した複写機、ファクシミリ機又は複合機（ＭＦＰ：Multi Function Peripheral）等の画像形成装置、および画像読取方法の改良に関する。
【背景技術】
【０００２】
従来、この種の画像形成装置は、原稿に光を照射して読み取った画像データに基づき回転感光体の表面に潜像を形成し、トナーカセットから供給したトナーによってその潜像からトナー像を形成し、搬送された用紙にそのトナー像を転写し、その用紙を加熱定着部を通して転写トナーを加熱定着させて印刷（印字）する構成が良く知られている。
【０００３】
しかも、頁毎にカラー着色、白黒反転、集約又は鏡像等の画像加工を施した印刷物が得られることを望むユーザに配慮して、読み取った画像データに対し頁毎の着色、白黒反転、集約又は鏡像等の画像加工を可能にする構成が提供されている。
【０００４】
例えば特開２００５−４５２９５号公報（特許文献１）のカラー画像形成装置もこの種のものである。
【０００５】
この特許文献１は、カラー原稿読取機能により読み取った画像データに対しカラー印刷機能を用いて記録紙へ印刷するカラー画像形成装置に関するもので、所定の編集機能を備え、原稿読取時、頁毎の読取色を指定してカラー原稿を読み取り、各頁の画像データについて当該指定色で画像を管理するとともに、編集作業が指定された場合には、編集対象となる頁に対して画像データに対応した指定色にする構成を有し、操作性を向上させたものである。
【先行技術文献】
【特許文献】
【０００６】
【特許文献１】特開２００５−４５２９５号公報
【発明の概要】
【発明が解決しようとする課題】
【０００７】
しかしながら、上述した特許文献１は、１つの印刷ジョブにおける各読取頁について、予め、読取動作前の段階で読取色を指定するものであり、読取動作後の段階では当該指定をしない構成である。
【０００８】
他方ユーザによっては、１つの印刷ジョブにおいて原稿から画像データを読み取った後にその画像データをプレビュー表示し、それを確認しながら個々の頁毎に加工設定を行う要望もある
【０００９】
さらに、原稿の読取動作前の段階で画像データに対する加工項目を指定する構成では、全ての加工項目を表示部に表示して行う必要があり、限られたスペースの表示部に全ての加工項目を表示させることが困難な場合が多く、改善が求められていた。
【００１０】
本発明はそのような課題を解決するためになされたもので、限られたスペースの表示部を有効に利用し、各頁毎の画像データを確認しながら加工項目の設定が可能な画像読取制御装置、画像形成装置および画像読取方法の提供を目的とする。
【課題を解決するための手段】
【００１１】
そのような課題を解決するために本発明の請求項１に係る画像読取制御装置は、所定の読取指示に基づき、原稿の画像を光学的に１頁毎に読み取って電子的な画像データを取得する原稿読取部と、１頁毎の画像データに対する加工項目を選択する項目選択画面と、読み取った１頁毎の画像データと、選択された加工項目とを表示する表示部と、この表示部に表示された項目選択画面における加工項目の選択入力と、選択された加工項目であってその表示部に表示された画像データについて表示された加工項目に対し外部から当該内容を設定する設定入力とを受け付ける入力部と、読み取った画像データを１頁毎に設定入力によって設定された設定内容で画像加工する画像加工部と、その項目選択画面を表示部に表示制御するとともに入力部における加工項目の選択入力の受け付けを制御し、その読取指示を出力して１頁毎に原稿の画像を読取るよう原稿読取部を制御し、読み取った１頁毎の画像データと選択された加工項目とを表示するよう表示部を制御する読取制御部と、を具備している。
【００１２】
本発明の請求項２に係る画像読取制御装置は、上記読取制御部が、１頁分の原稿の画像を読み取るよう読取指示を原稿読取部に出力し、上記設定入力が確定された以降、次頁を読み取るよう読取指示を原稿読取部に出力して読取制御をする構成である。
【００１３】
本発明の請求項３に係る画像読取制御装置は、上記読取制御部が、その読取指示を出力して原稿の画像を一度に読取るよう原稿読取部を制御し、上記設定入力が確定された以降、次頁の個々の頁毎に画像データおよび選択された加工項目を順次表示するよう上記表示部を制御する構成である。
【００１４】
本発明の請求項４に係る画像形成装置は、それら請求項１〜３いずれか１項記載の画像読取制御装置を具備し、読み取った画像データを画像形成する画像形成部を有する構成である。
【００１５】
本発明の請求項５に係る画像読取方法は、１頁毎の画像データに対する加工項目を事前に選択する選択処理と、原稿の画像を光学的に１頁毎に読み取って電子的な前記画像データを取得する原稿読取処理と、読み取った画像データを１頁毎に表示するとともに、その選択処理で選択された加工項目についての設定画面を表示する表示処理と、この表示処理によって表示された１頁毎の画像データについて、表示された加工項目に対し外部から当該内容を設定する設定入力を受け付ける入力処理と、読み取った画像データを１頁毎に設定処理で設定された設定内容で画像加工処理する加工処理と、を具備している。
【００１６】
本発明の請求項６に係る画像読取方法は、上記原稿読取処理が、１頁分の原稿の画像を読み取り、設定入力が確定された以降、次頁を読み取る構成である。
【００１７】
本発明の請求項７に係る画像読取方法は、上記原稿読取処理が原稿の表面画像を一度に全頁読取り、上記表示処理が設定入力の確定以降、次頁の個々の頁毎に画像データおよび選択された加工項目を表示する構成である。
【発明の効果】
【００１８】
このような本発明の請求項１、５に係る画像読取制御装置および画像読取方法では、１頁毎の画像データに対する加工項目を事前に選択し、原稿の画像を１頁毎に読み取って電子的な画像データを取得し、読み取った画像データを１頁毎に表示するとともに、その選択された加工項目を表示し、表示された１頁毎の画像データについて、同じく表示された加工項目に対し外部から当該内容を設定する設定入力を受け付け、読み取った画像データを１頁毎に設定内容で画像加工するから、限られたスペースの表示部を有効に利用し、各頁の画像データを確認しながら画像加工の設定が可能である。
【００１９】
本発明の請求項２、６に係る画像読取制御装置および画像読取方法では、１頁分の原稿の画像を読み取り、設定入力が確定された以降、次頁を読み取るから、頁毎の画像データを確認しながら画像加工の設定したうえで、順次、各頁毎の画像データの読み取りと画像加工の設定が可能である。
【００２０】
本発明の請求項３、４に係る画像読取制御装置および画像読取方法では、原稿の画像を一度に読取り、設定入力が確定された以降、次頁の個々の頁毎に画像データおよび選択された加工項目を表示するから、全頁の画像データを一度に読み取った後、順次、頁毎の画像データを確認しながら画像加工の設定が可能である。
【図面の簡単な説明】
【００２１】
【図１】本発明に係る画像読取制御装置を搭載した画像形成装置の実施の形態を示すブロック図である。
【図２】本発明に係る画像読取制御装置の要部を示す要部構成図である。
【図３】本発明に係る画像形成装置の操作パネル部を説明する図である。
【図４】本発明に係る画像読取制御装置の動作を説明する図である。
【図５】本発明に係る画像読取制御装置の動作を説明するフローチャートである。
【発明を実施するための最良の形態】
【００２２】
以下、本発明に係る画像読取制御装置、画像形成装置および画像読取方法の実施の形態を、図面を参照して説明する。なお、本発明の画像読取制御装置および画像読取方法は本発明の画像形成装置を説明する過程で説明する。
【００２３】
図１は、本発明に係る画像形成装置Ａの実施の形態を示すブロック図である。
【００２４】
画像形成装置Ａは、主制御部１を中心にして原稿読取部３、記憶部５、操作パネル部７、印刷部９および送受信部１１を有し、例えば複合機（ＭＦＰ）を構成している。なお、画像形成装置Ａは、これ以外にも構成を有するが、本発明の要旨ではないので説明および図示を省略する。
【００２５】
原稿読取部３は、後述するように自動給紙された原稿１３からこの表面画像を光学的に読み取るとともに電子的な画像データを生成するフルカラーのスキャナであり、主制御部１の制御の下、頁毎の画像データが記憶部５に記憶されるようになっている。原稿読取部３の詳細は後述する。
【００２６】
記憶部５は、主制御部１の制御の下、原稿読取部３からの読取り画像データや送受信部１１からの後述する受信画像データ、後述する選択された加工項目を記憶する他、主制御部１の動作プログラムを記憶した読み書き可能な例えばハードディスクである。
【００２７】
操作パネル部７は、図２に示す本体ケース１５の上部に配置され（図２では図示省略）、主制御部１の制御の下、種々の動作状態の表示が可能な表示部としての機能、装置の動作指示を受付けるタッチスイッチ等の入力部としての機能を有している。
【００２８】
操作パネル部７は、例えば図３に示すように、印刷（コピー）処理、プリンタ処理、スキャナ処理、ファクシミリ送受信処理等の種々の操作指示や選択をする選択キー７ａの他、それらの操作に係る設定項目の設定変更を入力する公知の例えばテンキー７ｂ、スタートキー７ｃ、ストップキー７ｄの他、装置の動作状況を表示する公知の液晶表示パネルからなる表示パネル部７ｅ等を有する。
【００２９】
表示パネル部７ｅには、装置の動作状況の他、頁毎の画像データに対する加工項目を選択する項目選択画面と、読み取った１頁毎の画像データと、選択された加工項目と、選択された加工項目に対し内容を設定する設定画面とを表示する機能を有している。
【００３０】
表示パネル部７ｅは、主制御部１の制御の下、図４Ａに示すように、項目選択画面７ｆとして頁毎の各画像データに対する複数の加工項目７ｇの一覧を表示可能になっている。
【００３１】
図４Ａでは、加工項目７ｇとして、例えばカラー着色を設定する「カラー」ボタン、白黒反転を設定する「白黒反転」ボタン、コピー濃度を設定する「コピー濃度」ボタン、鏡像を設定する「鏡像」ボタン、集約を設定する「集約」ボタン、拡大縮小を設定する「拡大縮小」ボタン、枠消しを設定する「枠消し」ボタン等を表示している。
【００３２】
表示パネル部７ｅは、当該表面にこれを覆う入力部としての透過性のタッチスイッチシート（図では見えない。）を有し、表示された加工項目の個々のボタンへの選択入力を受け付ける機能を有しており、何れかのボタンをタッチ操作するとともに、例えばスタートキー７ｃへの操作によって当該選択が受け付けられて確定し、その選択情報が主制御部１に出力される。
【００３３】
また、図４Ｂでは、１頁毎の画像データのプレビュー画面７ｈと、選択された加工項目７ｇとしての例えば「カラー」ボタン、「白黒反転」ボタンおよび「コピー濃度」ボタンおよびこれらの設定内容からなる設定画面７ｉとが表示されており、表示パネル部７ｅの表面を覆うタッチスイッチシートにおける加工項目７ｇおよび設定画面７ｉへの設定入力と、例えばスタートキー７ｃへの操作によって当該設定が受け付けられて確定し、その設定情報が主制御部１に出力される。
【００３４】
印刷部９は、図２の本体ケース１５に配置され、詳細な図示はしないが、用紙がセットされる複数の給紙部と、上述した画像データを印刷画像イメージデータに展開してトナーカセットからのトナーでトナー現像して用紙にトナー像を転写する転写部（回転感光体）と、転写された用紙の転写画像を加熱定着する定着部等と、を有する画像形成部としてのフルカラーの印刷エンジンである。
【００３５】
図１の送受信部１１は、所定のプロトコルに従い、ネットワークＮＴを介してコンピュータ等の情報処理装置Ｂとの間で種々の画像データ等を送受信するインターフェース部である。
【００３６】
主制御部１は、ＣＰＵ、このＣＰＵの動作プログラムを格納したＲＯＭおよび作業用ＲＡＭ（何れも図示せず。）を有して形成されており、上述した原稿読取部３、記憶部５、操作パネル部７、印刷部９および送受信部１１等を制御するとともに、画像形成装置Ａの図示しない機能部を制御している。その他の機能は後述する。
【００３７】
次に、上述した原稿読取部３を、図２を参照して説明する。
【００３８】
図２において、本体ケース１５の上側には透明なコンタクトガラス１７、１９が配置されており、コンタクトガラス１７は、細長い長方形を有し、読み取る原稿１３の主走査方向（原稿の搬送方向に直交する方向）に沿って本体ケース１５の側部に寄せて配置されている。
【００３９】
コンタクトガラス１９は、原稿１３の寸法より大形の方形形状を有し、コンタクトガラス１７の近傍からコンタクトガラス１７とは反対方向に延びるように配置されている。
【００４０】
本体ケース１５内部において、コンタクトガラス１７の近傍直下には、コンタクトガラス１７上に位置する原稿１３に向けて光を発光照射する例えば発光ダイオード等からなるライン状の光源２１と、コンタクトガラス１７側からの反射光を受けて反射するミラー２３と、これらを収納する収納部２５からなる読取ユニット２７が形成されている。
【００４１】
読取ユニット２７は、本体ケース１５内部に配置された移動部２９に連結されており、コンタクトガラス１７の近傍直下を始端とし、コンタクトガラス１９に沿ってこれと並行に図中右端に向けて所定のタイミングで間欠移動するとともに、終端に至ったとき始端に向けて戻るよう、移動部２９によって往復動制御されている。移動部２９は後述する読取制御部４９によって制御される。
【００４２】
なお、移動部２９は、後述する自動原稿搬送部３９が動作しないとき、読取ユニット２７を往復運動制御する。
【００４３】
本体ケース１５内において、ミラー２３からの反射光の光軸上には、ミラー３１、３３、集光レンズ３５および読取部３７が配置され、光学系が形成されている。
【００４４】
読取部３７は、例えばＣＣＤラインセンサからなり、ミラー３１、３３で屈曲導光され、集光レンズ３５で集光された読取ユニット２７からの反射光に基づき、この光量に応じたレベルのデジタル信号に変換した画像データを主制御部１を介して記憶部５に出力するものである。
【００４５】
本体ケース１５には、コンタクトガラス１７、１９を覆うようにして自動原稿搬送部３９が載置され、図示しないヒンジ機構によって当該端部が本体ケース１５に固定され、扇状に変位可能になっている。
【００４６】
自動原稿搬送部３９は、その本体部４１がコンタクトガラス１７の上側に位置し、この本体部４１から延びる原稿トレイ４３および排紙トレイ４５がコンタクトガラス１９の上側に位置するようになっている。
【００４７】
自動原稿搬送部３９の本体部４１内には、原稿トレイ４３から原稿１３を給紙し、読取ユニット２７近傍を介してループ状に搬送し、排紙トレイ４５に排紙させる移動部としての複数の搬送用ローラ４７が配置されている。
【００４８】
複数の搬送用ローラ４７は、後述する読取制御部４９によって回転制御されている。
【００４９】
次に、上述した主制御部１の機能を、図２を参照して更に説明する。
【００５０】
主制御部１は、上述した機能の他、読取制御部４９および画像加工部５１としての機能を有している。
【００５１】
すなわち、読取制御部４９は、スタートキー７ｃやストップ７ｄからの指示入力に基づき、原稿１３を１頁毎に読み取るよう原稿読取部３を読取制御し、原稿読取部３に対する原稿１３の読み取り中止を制御する機能を有している。
【００５２】
読取制御部４９は、項目選択画面７ｆを表示パネル部７ｅに表示制御するとともに加工項目７ｇの選択入力の受け付けを制御し、選択された加工項目を記憶部５に記憶制御し、読取指示を出力して１頁毎に原稿の表面画像を読取るよう原稿読取部３（移動部２９、自動原稿搬送部３９）を制御し、読み取った１頁毎の画像データのプレビュー画面７ｈ、選択された加工項目および設定画面７ｉを表示するよう表示パネル部７ｅを制御する機能を有している。
【００５３】
読取制御部４９は、１頁毎の画像データについて加工項目の内容設定が確定された以降、次頁を読み取るよう読取指示を原稿読取部３に出力して読取制御する機能を有している。
【００５４】
画像加工部５１は、読み取ったデジタル画像データに対して種々のフィルタ処理演算等の加工処理をするとともに、読み取った画像データを１頁毎に加工項目設定されていれば、その設定内容で画像加工し、加工された画像データを主制御部１を介して記憶部５に出力する機能を有している。
【００５５】
記憶部５に記憶された画像データは、主制御部１の制御によって読み出されて印刷部９に出力され、印刷される。
【００５６】
次に、本発明に係る画像読取制御装置の動作を図６のフローチャートを参照して簡単に説明する。
【００５７】
加工項目としてカラー、白黒反転およびコピー濃度を選択する例を説明する。
【００５８】
ステップＳ１にて、図４Ａに示すように、表示パネル部７ｅが、項目選択画面７ｆとして「カラー」ボタン、「白黒反転」ボタン、「コピー濃度」ボタン、「鏡像」ボタン、「集約」ボタン、「拡大縮小」ボタンおよび「枠消し」ボタン等の一覧を表示し、表示パネル部７ｅにて「カラー」ボタン、「白黒反転」ボタンおよび「コピー濃度」ボタンをタッチ操作するとともに、スタートキー７ｃへの操作によって当該選択を確定すると、その選択情報が主制御部１を介して記憶部５に事前に選択記憶される（選択処理）。
【００５９】
続く、ステップＳ２にて、原稿１３を自動原稿搬送部３９の原稿トレイ４３にセットし、操作パネル部７のスタートキー７ｃをタッチして読取開始を指示し、読取制御部４９の制御によってローラ４７が原稿トレイ４３から原稿１３を給紙してループ状に搬送し、排紙トレイ４５に排紙させ、読取ユニット２９、読取部３７が原稿の表面画像を光学的に１頁分に読み取って電子的な画像データを取得し、記憶部５に記憶させる（原稿読取処理）。
【００６０】
そして、ステップＳ３にて、図４Ｂに示すように、表示パネル部７ｅが、読み取った画像データを１頁毎にプレビュー画面７ｈで表示するとともに、選択処理で選択された加工項目７ｇを表示パネル部７ｅに設定画面とともに表示し（表示処理）、ステップＳ４に移る。
【００６１】
ステップＳ４では、この表示処理によって表示された１頁毎のプレビュー画面７ｈについて、同じく表示された設定画面７ｉに対する外部からの設定入力を受け付け（入力処理）、ステップＳ５に移る。
【００６２】
ステップＳ５では、読み取った画像データを１頁毎に画像加工部５１が設定処理で設定された設定内容で画像加工処理し（加工処理）、ステップＳ６にて印刷部９が１頁毎に印刷する（印刷処理）。
【００６３】
さらに、ステップＳ７にて、原稿の最終頁が既に読み込まれているか判別し、読み込まれていてステップ７がＹＥＳであれば終了し、未読頁があってＮＯであればステップＳ２に戻り、ステップＳ７がＹＥＳになるまでステップＳ２〜Ｓ７を繰り返す。
【００６４】
このような処理過程が本発明の画像読取方法を構成する。
【００６５】
このように本発明の画像読取制御装置は、所定の読取指示に基づき、原稿の表面画像を光学的に１頁毎に読み取って電子的な画像データを取得する原稿読取部３と、１頁毎の画像データに対する加工項目を選択する項目選択画面と、読み取った１頁毎の画像データと、選択された加工項目７ｇやこれに対する設定画面７ｉとを表示する表示パネル部（表示部）７ｅと、この表示パネル部７ｅに表示された項目選択画面７ｆにおける加工項目７ｇの選択入力と、その表示パネル部７ｅに表示された画像データについて同じく表示された加工項目に対し外部からの当該内容を設定する設定入力とを受け付ける表示パネル部７ｅ（入力部）と、読み取った画像データを１頁毎に設定入力によって設定された設定内容で画像加工する画像加工部５１と、その項目選択画面を表示パネル部７ｅに表示制御するとともに表示パネル部７ｅにおける加工項目の選択入力の受け付けを制御し、その読取指示を出力して１頁毎に原稿の表面画像を読取るよう原稿読取部３を制御し、読み取った１頁毎の画像データと選択された加工項目とを表示するよう表示パネル部７ｅを制御する読取制御部４９と、を具備している。
【００６６】
しかも、読取制御部４９が、１頁分の原稿の表面画像を読み取るよう読取指示を原稿読取部３に出力し、設定入力が確定された以降、次頁を読み取るよう読取指示を原稿読取部３に出力して読取制御するから、一回の読取動作毎に異なる画像設定が可能で、読取動作後にプレビュー画像７ｈを確認してから加工項目の内容を設定できるので、頁毎に自分が欲しい加工画像で印刷可能である。
【００６７】
また、読取動作前に設定したい加工項目を選択することで、加工項目を予め少ない数に絞り込んでプレビュー画像７ｈの表示とともに表示可能であるから、スペースの限られた表示パネル部７ｅにあって画像データを大きなプレビュー表示で確認することが可能である。
【００６８】
なお、設定した設定情報を記憶部５に記憶登録しておくことで、次回同様の原稿を同じ設定で動作させたいときに再度設定することなく、動作させることができる。
【００６９】
ところで、本発明に係る上述した構成では、１頁分の原稿を読み取って画像データをプレビュー表示させ、画像の加工設定をしてから次頁の原稿を読み取ってこれを繰り返す構成であったが、本発明はこれに限定されない。
【００７０】
例えば、読取指示を出力して原稿の表面画像を全て一度に読取るよう原稿読取部３を制御するよう読取制御部４９を形成し、設定入力が確定された以降、次頁の個々の頁毎に画像データおよび設定画面を順次表示するよう読取制御部４９を形成してもよい。
【００７１】
このような構成では、原稿の表面画像を一度に原稿読取処理し、設定入力が確定された以降、次頁の個々の頁毎に画像データおよび設定画面を表示する表示処理することになる。
【００７２】
そして、本発明の画像読取方法および上述した画像読取制御装置を具備して画像形成装置Ａを構成すれば、上述した画像読取制御装置と同様の効果が得られる。
【符号の説明】
【００７３】
１  主制御部
３  原稿読取部
５  記憶部
７  操作パネル部（表示部、入力部）
７ａ  選択キー
７ｂ  テンキー
７ｃ  スタートキー
７ｄ  ストップキー
７ｅ  表示パネル部
７ｆ  項目選択画面
７ｇ  加工項目
７ｈ  プレビュー画面
７ｉ  設定画面
９  印刷部（画像形成部）
１１  送受信部
１３  原稿
１５  本体ケース
１７、１９  コンタクトガラス
２１  光源
２３、３１、３３  ミラー
２５  収納部 
２７  読取ユニット
２９  移動部
３５  集光レンズ
３７  画像読取部
３９  自動原稿搬送部
４１  本体部
４３  原稿トレイ
４５  排紙トレイ
４７  ローラ
４９  読取制御部
５１  画像加工部
Ａ  画像形成装置
Ｂ  情報処理装置
ＮＴ  ネットワーク
【図１】
0005269863.tif 000002
【図２】
0005269863.tif 000003
【図３】
0005269863.tif 000004
【図４】
0005269863.tif 000005
【図５】
0005269863.tif 000006